(57)【特許請求の範囲】
【請求項１】
略長方形の底部材と、ヒンジ部を介して前記底部材の各辺に連設された４枚の壁部材と、ヒンジ部を介して前記壁部材の１枚に連設された蓋部材とからなり、
前記４枚の壁部材それぞれを起立姿勢にすると前記底部材と前記４枚の壁部材とで、１０個入り卵パックを収容し得る内法寸法の収容部を形成し、
該収容部が形成された状態で前記蓋部材を前記底部材と対面状にすれば前記収容部が閉鎖される
展開構造のケースであり、
弾性材の弾性凸部と、前記弾性凸部の底面に接合された基板部とを有するアジャスタが、前記基板部を前記底部材に対面させて、前記収容部に収容した前記卵パックの凹部のいずれかに対応する位置に取り付けられる
ことを特徴とする卵パック用の保護ケース。
【請求項２】
前記アジャスタが、前記底部材に着脱可能に取り付けられることを特徴とする請求項１記載の卵パック用の保護ケース。
【請求項３】
前記アジャスタは、前記底部材に取り付けられた状態で前記底部材の長軸に沿って列をなす複数の前記弾性凸部を有していることを特徴とする請求項１又は２記載の卵パック用の保護ケース。
【請求項４】
前記アジャスタは、前記基板部に設けられた突起を前記底部材に設けられた穴に嵌合させることで、前記底部材に取り付けられることを特徴とする請求項１、２又は３記載の卵パック用の保護ケース。
【発明の詳細な説明】
【技術分野】
【０００１】
本発明は、卵パック用の保護ケースに関する。
【背景技術】
【０００２】
食料品店等で販売される鶏卵は卵パックに収容されているのが普通である。
この卵パックは、合成樹脂製又は紙製とされるが、いずれも卵の上半部分及び卵の下半部分をそれぞれ収容する収容空間を複数形成するように凹凸成形し、卵の上半部分の収容空間を有する部分と卵の下半部分の収容空間を有する部分とを対向する状態で重ね、その上下収容空間に卵を封止する構造が一般的である。
【０００３】
なお、卵パックには５×２列の１０個パックと３×２列の６個パックとがあり、また収容する卵のサイズ（Ｓ、Ｍ、Ｌ）によって卵パックの外形寸法に違いがある。
【特許文献１】登録実用新案第３００４２７０号公報
【発明の開示】
【発明が解決しようとする課題】
【０００４】
卵パックに収容されていても、卵そのものが割れやすいため、スーパー等で買い物をした場合、卵パックが他の購入品の上になるように袋に入れたり、他の購入品とは別の袋に入れたりするのが一般的であった。しかし、そのように気を遣っても、扱い方によっては中の卵が割れてしまうこともあった。
【０００５】
本発明は、圧迫や衝撃で卵パックの卵が割れるのを防止するための卵パック用の保護ケースに関する。
但し、上述したように１０個パックと６個パックとがあり、同じ１０個パックでも卵のサイズによって外形寸法に違いがあるという現状から、これらのすべてに対応可能な卵パック用の保護ケースを提供することを目的としている。
【課題を解決するための手段】
【０００６】
請求項１記載の卵パック用の保護ケースは、
略長方形の底部材と、ヒンジ部を介して前記底部材の各辺に連設された４枚の壁部材と、ヒンジ部を介して前記壁部材の１枚に連設された蓋部材とからなり、
前記４枚の壁部材それぞれを起立姿勢にすると前記底部材と前記４枚の壁部材とで、１０個入り卵パックを収容し得る内法寸法の収容部を形成し、
該収容部が形成された状態で前記蓋部材を前記底部材と対面状にすれば前記収容部が閉鎖される
展開構造のケースであり、
弾性材の弾性凸部と、前記弾性凸部の底面に接合された基板部とを有するアジャスタが、前記基板部を前記底部材に対面させて、前記収容部に収容した前記卵パックの凹部のいずれかに対応する位置に取り付けられる
ことを特徴とする。
【０００７】
請求項１記載の卵パック用の保護ケースは、略長方形の底部材と、ヒンジ部を介して底部材の各辺に連設された４枚の壁部材と、ヒンジ部を介して壁部材の１枚に連設された蓋部材とからなる展開構造のケースであるから、ヒンジ部を利用して折りたたんでコンパクトにできる。つまり、不使用時には、折りたたんで買い物袋に入れる等が可能である。
【０００８】
一方、４枚の壁部材それぞれを底部材に対して起立した姿勢にすると、底部材と４枚の壁部材とで、１０個入り卵パックを収容し得る内法寸法の収容部を形成する。この内法寸法は、Ｌサイズ用の１０個入り卵パックを収容し得る寸法であればよく、特段の制限はない。
【０００９】
そして、収容部が形成された状態で蓋部材を底部材と対面状にすれば、蓋部材が収容部の開口を閉じる（収容部が閉鎖される）ので、収容部に収容した卵パックを保護できる。蓋部材には、４枚の壁部材のいずれかに設けた突起などに係止して前述の底部材と対面した状態を維持するための係止部を設けておくのが好ましい。
【００１０】
さらに、底部材にはアジャスタが取り付けられる。このアジャスタは、弾性材（例えばスポンジ、発泡ゴム等）の弾性凸部と、その弾性凸部の底面に接合された基板部とを有しており、基板部を底部材に対面させて底部材に取り付けられる。
【００１１】
なお、弾性凸部は柱状（円柱状、角柱状）、錐状（円錐状、角錐状）、錐台状（円錐台状、角錐台状）等にできるし、角錐や角錐台の稜部を面取りした形状などでもよい。
アジャスタは、請求項２に記載のように、前記底部材に着脱可能に取り付けられてもよいし、接着剤などを用いて固着されてもよい。請求項４に記載のように、前記基板部に設けられた突起を前記底部材に設けられた穴に嵌合させることで、前記底部材に取り付けられる構成とすれば、容易に着脱できる。
【００１２】
卵パックは（１０個パックも６個パックも）、４個の卵が正方形に配置される２×２構造の繰り返しになっている。そして、その２×２構造の中心部は、４箇所の凸によって囲まれた凹部になる。この凹部は、１０個パックでは４箇所存在し、６個パックでは２箇所存在する。
【００１３】
アジャスタを、収容部に収容した卵パックの凹部のいずれかに対応する位置に取り付けておけば、卵パックを収容部に収容したときにアジャスタの弾性凸部と卵パックの凹部とが嵌め合い状態になる。
【００１４】
弾性凸部は弾性材（例えばスポンジ、発泡ゴム等）であるから、凹部に対して大きめにしておけば、凹部としっかりと嵌め合いになる。また、弾性凸部と凹部とに多少の位置ずれがあっても、確実に嵌め合いになる。
【００１５】
従って、４枚の壁部材で構成される枠状の部分の内法と１０個入り卵パックの外周とに隙間があっても（１０個入り卵パックがＳ、Ｍ、Ｌいずれのサイズであっても）、弾性凸部と凹部とが嵌め合いになって、１０個入り卵パックが底部材に沿って移動するのを（収容部の中でがたつくのを）防止できる。
【００１６】
弾性凸部の位置を６個入り卵パックの凹部と嵌め合いになる位置にしておけば、上記と同様に６個入り卵パックでも収容部の中でがたつくのを防止できる。
収容部の高さ（蓋部材を閉じたときの蓋部材と底部材の間隔）を、Ｓサイズ用の卵パックの高さよりもわずかに小さくしておけば、蓋部材と底部材とで卵パックを挟持するので、上下方向のがたつきも防止できる。
【００１７】
なお、卵パックの凸部（その中に卵を収容する部分）は、卵の頂部との間に適宜の間隔ができるように作られているので、上記のように蓋部材と底部材とで卵パックを挟持した場合、たとえＬサイズ用の卵パックでも卵を押しつぶすおそれはない。
【００１８】
このように、本発明の卵パック用の保護ケースは、１０個用の卵パックでも６個用の卵パックでも、またＳ、Ｍ、Ｌいずれのサイズ用でも、がたつきなく収容できる。そして、卵パック用の保護ケースをポリエチレン、ポリプロピレン、ＡＢＳ、ポリアミドなどの硬質の合成樹脂製とすれば、圧迫や衝撃で卵パックの卵が割れるのを防止することができる。
【００１９】
上述したことから明らかなとおり、アジャスタは、本発明の卵パック用の保護ケースにおいてきわめて重要な役割を担っている。
このアジャスタの機能は弾性凸部が１つあれば果たせるが、これを複数にすれば、すなわち請求項３記載のように、前記アジャスタは、前記底部材に取り付けられた状態で前記底部材の長軸に沿って列をなす複数の前記弾性凸部を有している構成とすれば、より効果的である。
【発明を実施するための最良の形態】
【００２０】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
図１に示すように、本実施例の卵パック用の保護ケース（以下、単に保護ケース）１は硬質の合成樹脂（本実施例ではポリプロピレン）の射出成形品であり、略長方形の底部材２、４枚の壁部材３、４及び蓋部材５とからなる６面体構造をしている。
【００２１】
底部材２は略長方形であり、全体としてほぼ板状をなすが、短辺部６はＬ字状に立ち上がっている。また、底部材２には、長軸に沿った位置に３箇所の嵌合穴８ａ、８ｂ、８ｃが等間隔で設けられている。嵌合穴８ａ、８ｂは、底部材２の短軸を挟んで対称の位置にあり、嵌合穴８ｃは嵌合穴８ｂよりも短辺部６寄りに位置している。
【００２２】
底部材２の長辺９には、薄肉のヒンジ部１０を介して略長方形の壁部材３が連設されている。壁部材３はヒンジ部１０を屈曲させることで、図示のように開いた状態から底部材２と対面する状態まで、約１８０度に変位できる。また、壁部材３の両側部には連結突起１１が設けられている。
【００２３】
底部材２の短辺部６には、薄肉のヒンジ部１２を介して略長方形の壁部材４が連設されている。壁部材４も、壁部材３と同様にヒンジ部１２を屈曲させることで、図示のように開いた状態から底部材２と対面する状態まで、約１８０度に変位できる。また、壁部材４の両側部はＬ字状に曲げられており、その先端部には連結突起１１に対応した連結凹部１３が設けられている。
【００２４】
そして、一方の壁部材４には、係止突起１４が設けられ、他方の壁部材４には、薄肉のヒンジ部１５を介して蓋部材５が連設されている。
蓋部材５は、ヒンジ部１５を屈曲させることで、図示のように開いた状態から底部材２と対面する状態まで、ヒンジ部１５を中心にして約１８０度に変位できる。また、蓋部材５の外周部には、ヒンジ部１５にて壁部材４に連設されている辺を除いて、コの字状に小壁１７が設けられている。この小壁１７には、係止突起１４と対をなす係止部１８が設けられている。
【００２５】
底部材２に設けられている嵌合穴８ａ、８ｂ、８ｃは、図２に示すアジャスタ２０を取り付けるために使用される。
アジャスタ２０は、弾性凸部に該当する錐台部２１と基板部２２とで構成されている。錐台部２１は四角錐台の稜部分を面取りして八角状にした形状である。
【００２６】
基板部２２は正方形の角を切り欠いた形状の２つの基板２３を連結部２４にてつなぎ合わせた形状で、両基板２３の下面中央にはピン状の嵌合突起２５が設けられている。これら嵌合突起２５の外径は嵌合穴８ａ、８ｂ、８ｃの内径とほぼ等しく、嵌合突起２５間の距離は嵌合穴８ａ、８ｂの距離並びに嵌合穴８ｂ、８ｃの距離と等しい。このため、２本の嵌合突起２５を嵌合穴８ａ、８ｂに、又は嵌合穴８ｂ、８ｃに嵌合させることができる。基板部２２は、保護ケース１の本体と同様に、硬質の合成樹脂（本実施例ではポリプロピレン）の射出成形品である。
【００２７】
２つの基板２３の上面には、それぞれ錐台部２１が接着されている。錐台部２１はスポンジ製で、図示するとおり角錐台状をしている。
アジャスタ２０は、２本の嵌合突起２５を嵌合穴８ａ、８ｂに、又は嵌合穴８ｂ、８ｃに嵌合させることで底部材２に取り付けられるが、この嵌合を解除して取り外すこともできる。すなわち、着脱可能になっている。
【００２８】
保護ケース１は、壁部材３を底部材２に対してほぼ垂直となるように起立させ（起立姿勢）、また壁部材４も同様に起立させて、壁部材３の連結突起１１を壁部材４の連結凹部１３に嵌合させることで、上端が開口した箱状の収容部を形成できる。
【００２９】
その収容部が形成された状態で、蓋部材５を底部材２と対面するように変位させれば収容部を閉鎖でき、その際に、蓋部材５の係止部１８を壁部材４の係止突起１４と係止させれば、この閉鎖状態を維持できる。すなわち、図３に示す状態となる。
【００３０】
この収容部の内法寸法は図４に例示する１０個入り卵パック３０を収容し得る寸法である。
１０個入り卵パック３０は、透明な合成樹脂シートを例えば真空成形したものであり、卵の上半部分を収容するための上収容空間３１が５×２列形成された上半部３２と、卵の下半部分を収容するための下収容空間３３が５×２列形成された下半部３４とを上下の収容空間３１、３２同士が対向する状態で重ね、その上下収容空間３１、３２に卵を封止する構造である。
【００３１】
このような構造であるため、正方形状に配置された４つの下収容空間３３の中心部は、４箇所の凸（下収容空間３３）によって囲まれた凹部３５になる。この凹部３５は、１０個入り卵パック３０では４箇所存在する。
【００３２】
そして、アジャスタ２０は、収容部に収容した卵パック３０の凹部３５のうち中央部の２箇所に対応する位置に２つの錐台部２１がくるように、底部材２に取り付けられている。
【００３３】
従って、図３に示すように卵パック３０を収容部に収容したときには、アジャスタ２０の錐台部２１と卵パック３０の凹部３５とが嵌め合い状態になる。
錐台部２１は弾性材（スポンジ）であり、凹部３５に対して大きめに製造されているので、凹部３５としっかりと嵌め合いになる。また、錐台部２１と凹部３５とに多少の位置ずれがあっても、確実に嵌め合いになる。
【００３４】
従って、壁部材３、４で構成される枠状の部分の内法と１０個入り卵パック３０の外周とに隙間があっても（１０個入り卵パック３０がＳ、Ｍ、Ｌいずれのサイズであっても）、錐台部２１と凹部３５とが嵌め合いになって、１０個入り卵パック３０が底部材２に沿って移動するのを（収容部の中でがたつくのを）防止できる。
【００３５】
錐台部２１の位置は６個入り卵パックの凹部３５とも嵌め合いになる位置にされているから、１０個入り卵パック３０と同様に６個入り卵パックでも収容部の中でがたつくのを防止できる。
【００３６】
収容部の高さ（蓋部材５を閉じたときの蓋部材５と底部材２の間隔）は、Ｓサイズ用の卵パック３０の高さよりもわずかに小さくしてあり、蓋部材５を閉じれば蓋部材５と底部材２とで卵パック３０を挟持するので、上下方向のがたつきも防止できる。
【００３７】
なお、卵パック３０の上下収容空間３１、３２は、卵の頂部、底部との間に適宜の間隔ができるように作られているので、上記のように蓋部材５と底部材２とで卵パック３０を挟持した場合、たとえＬサイズ用の卵パック３０でも卵を押しつぶすおそれはない。
【００３８】
このように、本実施例の保護ケース１は、１０個用の卵パック３０でも６個用の卵パックでも、またＳ、Ｍ、Ｌいずれのサイズ用でも、がたつきなく収容できる。そして、保護ケース１は硬質の合成樹脂（ポリプロピレン）製であるから、保護ケース１の外部からの圧迫や衝撃で卵パック３０の卵が割れるのを防止することができる。
【００３９】
なお、アジャスタ２０の機能は錐台部２１が１つあれば果たせるが、上記実施例のように錐台部２１を２つにするのが好ましい。
本実施例の保護ケース１に６個用の卵パックを収容する場合、アジャスタ２０を嵌合穴８ｂ、８ｃにて取り付ければ、６個用の卵パックの２つの凹部３５をともに錐台部２１に嵌め合わせできるから安定性が高まる。
【００４０】
又は、実施例と同様にアジャスタ２０を嵌合穴８ａ、８ｂにて取り付け、錐台部２１を１つだけ備えるアジャスタ２０ａ（アジャスタ２０を２分割したものに相当）を嵌合穴８ｃにて取り付けておけば、１０個用の卵パック３０でも６個用の卵パックでも、複数の凹部３５を錐台部２１に嵌め合わせできる。いうまでもないが、嵌合穴をもう１箇所増やして、４つの錐台部２１を配置することもできる。そうすれば更に安定性がよくなる。
［その他］
実施例の保護ケースは、これを使用しない場合には、図１に示す展開状態としておけるので、買い物袋などに入れても大きなスペースをとらない。また、アジャスタ２０を取り外せば、壁部材３を底部材２と対面するように折りたたみ、壁部材４と蓋部材５をヒンジ１２にて一括して折りたたんで壁部材３の上に重ね合わせることができるので、更に小型化できる。
【００４１】
また、実施例の保護ケースは、アジャスタ２０を取り付けなければ、サンドイッチやおにぎり等を入れるケースとしても使用できる。
【図面の簡単な説明】
【００４２】
【図１】実施例の保護ケースの展開状態の説明図。
【図２】実施例のアジャスタの平面図（ａ）、正面図（ｂ）、底面図（ｃ）、側面図（ｄ）。
【図３】実施例の保護ケースに卵パックを収容した状態の説明図であり、（ａ）は平面図、（ｂ）は側面図、（ｃ）は正面図。
【図４】卵パックの説明図であり、（ａ）は平面図、（ｂ）は側面図、（ｃ）は正面図。
【符号の説明】
【００４３】
１・・・保護ケース、
２・・・底部材、
３・・・壁部材、
４・・・壁部材、
５・・・蓋部材、
８ａ、８ｂ、８ｃ・・・嵌合穴、
１０、１２、１５・・・ヒンジ部、
２０、２０ａ・・・アジャスタ、
２１・・・錐台部（弾性凸部）、
２２・・・基板部、
２５・・・嵌合突起、
３０・・・卵パック、
３５・・・凹部。
【図１】
0004980816.tif 000002
【図２】
0004980816.tif 000003
【図３】
0004980816.tif 000004
【図４】
0004980816.tif 000005